(57)【要約】本発明は、計器装置の表示板上に導光部材を重ね合わせて立体的に配設することによって奥行き感を醸し出しながら質感を高めることができ、しかも照明表示時において見映えのある斬新な視認性を有する計器装置を提供することを目的とする。表示板（５）と、計器本体（２）と、計器本体（２）に設けられた指針（４）と、表示板（５）上に配設された透視可能な導光部材（６）と、導光部材（６）に光線を入射する光源（７）とを備えてなる計器装置において、導光部材（６）には、その外周縁部に所定の間隔を配して設けられ光源（７）の光線を指針（４）の回動中心方向へと反射させる複数個の光案内部（６１）が設けられていることにより、表示板（５）上において所定の間隔を配して帯状に部分的に光り輝き、表示板（５）と導光部材（６）とが立体的に照明表示され、見映えのある斬新な視認性を有する計器装置を提供することができる。
2010150583.tif 000002
【特許請求の範囲】
【請求項１】
表示板と、前記表示板の裏面側に配設された計器本体と、前記表示板の表面側に沿い前記計器本体の作動に応じて回動指示するように設けられた指針と、前記表示板上に配設された透視可能な透光性の導光部材と、前記導光部材に光線を入射する光源とを備えてなる計器装置において、前記導光部材には、その外周縁部に所定の間隔を配して設けられ前記光源の光線を前記導光部材内に指向性を持たせながら反射導光させる複数個の光案内部が設けられているとともに、前記導光部材の背面に、前記光源から発せられた光線を前記光案内部を介して目視側方向へと反射導光させる光反射処理部を施してなることを特徴とする計器装置。 
【請求項２】
前記導光部材に設けられた前記光案内部によって前記光源の光線を前記指針の回動中心方向へと反射導光してなることを特徴とする請求項１に記載の計器装置。 
【請求項３】
前記光案内部と前記指針の回動中心とを結ぶ線上に合わせて指針が指示する目盛部を前記導光部材または前記表示板に形成してなることを特徴とする請求項１または請求項２に記載の計器装置。 
【請求項４】
前記導光部材の表面側には、導光部材から一体に突出する凸状目盛部を形成してなることを特徴とする請求項１または請求項２に記載の計器装置。 
【請求項５】
前記凸状目盛部は、前記光案内部と前記指針の回動中心とを結ぶ線上に合わせて形成してなることを特徴とする請求項４に記載の計器装置。 
【請求項６】
前記凸状目盛部の背後に位置した前記表示板箇所に透光部を形成してなることを特徴とする請求項４に記載の計器装置。 
【発明の詳細な説明】
【技術分野】
【０００１】
本発明は、たとえばオートバイや自動車をはじめとする各種車両や船舶、建設機械などに搭載される計器装置に関するものである。 
【背景技術】
【０００２】
この種の計器装置として、たとえば自動車などの計器装置にあっては、たとえば下記特許文献１などに開示されているように、計器本体に設けられた指針と、この指針の指示対象となる目盛や文字・数字などの表示部を有する表示板と、表示板上に配置されたドーナツ形状からなる透光性基板と、透光性基板に光線を導入する光源を備えた計器装置が知られている。 【０００３】
この計器装置では、透光性基板に導かれた光線によって透光性基板やこの透光性基板から外部へと出向される光線によって表示板などを照らし出すようにしている。 【０００４】
このため、表示板と透光性基板との重ね合わせによって立体感を持たせることができ、透光性基板や表示板を照明表示することができるという効果がある。 
【先行技術文献】
【特許文献】
【０００５】
【特許文献１】特開２００７−３３０４号公報
【発明の概要】
【発明が解決しようとする課題】
【０００６】
しかしながら、前述した従来例構造によれば、表示板や透光性基板に設けられた目盛や文字・数字などが奥行き感を持たせながら視認することができるという反面、透光性基板に導かれた光線が透光性基板あるいは透光性基板からの光供給を受けて文字板上がぼんやりと導光照明されるものであるため、画一的な照明となってしまい、照明意匠上において立体感が乏しく斬新さに欠けるという問題があった。 【０００７】
本発明は前述した問題点に着目し、計器装置の表示板上に透光性の部材を重ね合わせて立体的に配設することによって奥行き感を醸し出しながら質感を高めることができ、しかも照明表示時において見映えのある斬新な視認性を有する計器装置を提供することを目的とする。 
【課題を解決するための手段】
【０００８】
本発明は前述した課題を解決するため、請求項１では、表示板と、前記表示板の裏面側に配設された計器本体と、前記表示板の表面側に沿い前記計器本体の作動に応じて回動指示するように設けられた指針と、前記表示板上に配設された透視可能な透光性の導光部材と、前記導光部材に光線を入射する光源とを備えてなる計器装置において、前記導光部材には、その外周縁部に所定の間隔を配して設けられ前記光源の光線を前記導光部材内に指向性を持たせながら反射導光させる複数個の光案内部が設けられているとともに、前記導光部材の背面に、前記光源から発せられた光線を前記光案内部を介して目視側方向へと反射導光させる光反射処理部を施してなることを特徴とする計器装置である。 【０００９】
このように構成することにより、光源からの光線は導光部材の外周縁部に設けた複数個からなる光案内部を介して指向性を持たせながら導光部材内に導光され、導光された光線が光反射処理部によって目視側へとスポット的に反射導光されて光輝して見える。この際、表示板上において帯状あるいは線状に部分的に光り輝き、表示板と導光部材とが立体的に照明表示され、見映えが良好でしかも斬新な視認性を有する計器装置を提供することができる。 【００１０】
また、請求項１に記載の計器装置において、請求項２では、前記導光部材に設けられた前記光案内部によって前記光源の光線を前記指針の回動中心方向へと反射導光してなることを特徴とするものである。 【００１１】
このように構成することにより、光源からの光線は、導光部材の外周縁部に設けた複数個からなる光案内部を介して導光部材の中心方向すなわち指針の回動中心方向へと反射導光されるため、表示板上において所定の間隔を配して帯状に部分的に光り輝き、表示板と導光部材とが立体的に照明表示され、見映えのある斬新な視認性を有する計器装置を提供することができる。 【００１２】
また、請求項１または請求項２に記載の計器装置において、請求項３では、前記光案内部と前記指針の回動中心とを結ぶ線上に合わせて指針が指示する目盛部を前記導光部材または前記表示板に形成してなることを特徴とするものである。 【００１３】
このように構成することにより、光反射処理部によって目視側へとスポット的に反射導光されて光輝する領域として、目盛部箇所に合わせて光案内部と指針の回動中心とを結ぶ線上がスポット的に反射導光されて光輝して見えるため、目盛部箇所が際立って見えるものであり、加えて表示板と導光部材とが立体的に照明表示され、見映えのある斬新な視認性を有する計器装置を提供することができる。 【００１４】
また、請求項１または請求項２に記載の計器装置において、請求項４では、前記導光部材の表面側には、導光部材から一体に突出する凸状目盛部を形成してなることを特徴とするものである。 【００１５】
このように構成することにより、表示板上において所定の間隔を配して帯状に部分的に光り輝くとともに、凸状目盛部によって表示板と導光部材側とがさらに立体的に形成され、見映えのある斬新な視認性を有する計器装置を提供することができる。 【００１６】
また、請求項４に記載の計器装置において、請求項５では、前記凸状目盛部は、前記光案内部と前記指針の回動中心とを結ぶ線上に合わせて形成してなることを特徴とするものである。 【００１７】
このように構成することにより、凸状目盛部によって立体的に形成することができるとともに、光反射処理部によって目視側へとスポット的に反射導光されて光輝する領域として、凸状目盛部箇所に合わせて光案内部と指針の回動中心とを結ぶ線上がスポット的に反射導光されて光輝して見えるため、凸状目盛部箇所が際立って見えるものであり、見映えのある斬新な計器装置を提供することができる。 【００１８】
また、請求項４に記載の計器装置において、請求項６では、前記凸状目盛部の背後に位置した前記表示板箇所に透光部を形成してなることを特徴とするものである。 【００１９】
このように構成することにより、表示板に形成された透光部を介して凸状目盛部が視認されるとともに、透光部を介して凸状目盛部を照明表示することが可能となるものであり、また光源からの光線を導光部材の外周縁部に設けた複数個からなる光案内部を介して導光部材の中心方向へと反射導光されるため、表示板上において所定の間隔を配して帯状に部分的に光り輝き、表示板と導光部材とが立体的に照明表示され、見映えのある斬新な視認性を有する計器装置を提供することができる。 
【発明の効果】
【００２０】
本発明では、表示板の裏面側に配設された計器本体と、前記表示板の表面側に沿い前記計器本体の作動に応じて回動指示するように設けられた指針と、前記表示板上に配設された透視可能な透光性の導光部材と、前記導光部材に光線を入射する光源とを備えてなる計器装置において、前記導光部材には、その外周縁部に所定の間隔を配して設けられ前記光源の光線を前記導光部材内に指向性を持たせながら反射導光させる複数個の光案内部を備えてなるとともに、前記導光部材の背面に、前記光源から発せられた光線を前記光案内部を介して目視側方向へと反射導光させる光反射処理部を施してなることを特徴とする計器装置であるため、光源からの光線を導光部材の外周縁部に設けた複数個からなる光案内部を介して指向性を持たせながら導光部材内に導光され、導光された光線が光反射処理部によって目視側へとスポット的に反射導光されて光輝して見えるものであり、この際、表示板上において帯状あるいは線状に部分的に光り輝き、表示板と導光部材とが立体的に照明表示され、見映えが良好でしかも斬新な視認性を有する計器装置を提供することができる。 
【図面の簡単な説明】
【００２１】
【図１】図１は、本発明の第１の実施形態である計器装置を示す正面図。
【図２】図２は、本発明の第１の実施形態である計器装置の照明状態の概要を示す正面図。
【図３】図３は、同実施形態である計器装置の表示板と導光部材とを示す要部の分解斜視図およびその部分拡大断面図。
【図４】図４は、図１の要部箇所を示す断面図。
【図５】図５は、図４の拡大断面図。
【図６】図６は、本発明の第２の実施形態である計器装置を示す正面図。
【図７】図７は、本発明の第２の実施形態である計器装置の照明状態の概要を示す正面図。
【図８】図８は、同実施形態である計器装置の表示板と導光部材とを示す要部の分解斜視図およびその部分拡大断面図。
【図９】図９は、図６の要部箇所を示す断面図。
【図１０】図１０は、図９の拡大断面図。
【発明を実施するための形態】
【００２２】
以下、添付図面に基づいて、本発明を車両用の計器装置に適用した実施形態に基づいて説明する。 
【００２３】
図１から図５は本発明の第１の実施形態を示すもので、以下、これらに基づいて本発明の実施形態を説明する。なお、図１は、本発明の第１実施形態による計器装置の正面図であり、図２は、図１の計器装置の照明状態の概要を示す正面図であり、図３は、同実施形態による表示板と導光部材との要部の分解斜視図およびその部分拡大断面図であり、図４は、図１の要部箇所を示す断面図であり、図５は、図４の拡大断面図である。 
【００２４】
同図において、本実施形態による計器装置は、回路基板１と、この回路基板１の背面側にて電気的に接続されるとともに機械的に組み付けられ固定される計器本体２と、この計器本体２に設けられ回路基板１を通して回路基板１の表面側前方に延びる回転軸３と、回転軸３の上端側に取付固定される指針４と、この指針４の背後側に位置する表示板５と、この表示板５の前面側に重ね合わせて配置される透視可能な透光性の導光部材６と、回路基板１上に実装された複数個の光源７と、表示板５と回路基板１との間に介在されるリフレクタ８ａと仕切り壁８ｂとを備えたケース８と、表示板５と導光部材６との前面側に配設され表示板５の視認表示領域と導光部材６の視認表示領域とが開口された見返しパネル９とから構成されている。 
【００２５】
回路基板１は、例えばガラスエポキシ系基材に配線パターン（図示せず）を施した硬質の回路基板からなり、後述する光源と、例えば計器本体２の駆動・制御を行う駆動回路（図示せず）や例えば抵抗やコンデンサなどの各種の回路部品（図示せず）が配線パターンに導通接続されている。 
【００２６】
計器本体２は、可動磁石式計器またはステッピングモータからなり、この例では回転軸３が回路基板１に形成した軸穴を貫通するように、回路基板１の背面側に組み付けられ、且つ半田付けなどの適宜導通手段により配線パターンと電気的に接続されているが、回路基板１の前面側に計器本体２を配置しても良い。 
【００２７】
指針４は、透光性の合成樹脂からなり、後述する表示板５や導光部材６に設けられた表示部に対応して指示する指示部材４１と、この指示部材４１と一体的に形成され回転軸３に組み付け固定される指針基部４２と、この指針基部４２および指示部材４１の回転中心側を覆う遮光性の合成樹脂からなるカバー部材４３とによって構成されている。 
【００２８】
表示板５は、指針４の回転軌道に沿った円弧状の領域に配列形状を有して配置され指針４の指示対象となる文字や数字あるいは記号などによる表示部５１と、この表示部５１の背景となる地色部５２が印刷などの手段によって形成されている。この実施形態にあっては、表示板５の表面に印刷を施すように構成していたが、裏面印刷にて行うようにしても良い。 
【００２９】
また表示板５に施された表示部５１の外側には、表示板５自体を開口させた開口孔や切り欠き孔からなる透光部５３が形成され、この透光部５３の位置と対峙するように導光部材６の後述する目盛部を配置するようにしている。また本実施形態にあっては透光部５３として開口孔や切り欠き孔によって形成していたが、地色部５２箇所に印刷を欠如するように抜き印刷箇所によって透光部５３を形成するようにしても良い。 
【００３０】
地色部５２は、表示部５１の背景を形成するもので、表示部５１領域を除いて形成されている。これら表示部５１と地色部５２は、表示板５の基材（母材）となる透光性のシート基板にスクリーン印刷などの手段により形成され、透光部５３は本実施形態にあっては表示板５に印刷を施した後に打ち抜きなどの手段により形成している。 
【００３１】
すなわち、透明な合成樹脂シートからなる基板の表面のほぼ全域に第１の印刷層Ｐ１を印刷形成する。この第１の印刷層Ｐ１は、たとえば白色の半透過性のインクからなり、それ自体、光源７の非点灯時には外光による反射により白色を伴って視認され、光源７の点灯時にはその照射光線が透過して白色にて透過照明される。 
【００３２】
また第１の印刷層Ｐ１の表側には、文字や数字あるいは記号などによる表示部５１箇所を除いて第２の印刷層Ｐ２が印刷形成されている。この第２の印刷層Ｐ２は、たとえば黒色で遮光性を有するインクからなり、第２の印刷層Ｐ２を形成することなく第１の印刷層Ｐ１が露出する領域によって表示部５１が形成される。 
【００３３】
よって第１の印刷層Ｐ１が露出される領域となる文字や数字あるいは記号などによる表示部５１は、光源７の非点灯時には、白色にて視認され、光源７の点灯時にはその光りを透過して表示部５１の形態にて白色にて透過照明される。 
【００３４】
なお、表示板５には、計器本体２の回転軸３に対応した位置に貫通孔５４が形成され、この貫通孔５４を通じて回転軸３と指針４とが連結できるように設けられている。 
【００３５】
導光部材６は、透明な透光性を有する合成樹脂からなり、表示板５の前面側に重ね合わせて配置されている。 
【００３６】
導光部材６には、その外周縁部に所定の間隔を配して設けられ光源７の光線を導光部材６内に指向性を持たせながら反射導光させる複数個の反射面からなる光案内部６１が形成されている。この第１の実施形態にあっては、導光部材６の外周縁部に所定の間隔を配して光源７の光線を導光部材６の中心方向（指針４の回動中心方向）へと指向性を持たせながら反射させる複数個の反射面からなる光案内部６１が形成されている。この際、導光部材６は、外周縁部の肉厚寸法に対して中心側の肉厚寸法が肉薄となるように形成され、光案内部６１を介して導光される光線を中心方向へと導き入れやすいように形成している。 
【００３７】
また導光部材６の表面側には、導光部材６から一体に突出した凸状目盛部６２が形成されている。この場合、凸状目盛部６２は光案内部６１と指針４の回動中心とを結ぶ線上に合わせて形成されている。 
【００３８】
また導光部材６に形成された凸状目盛部６２の背後に位置した表示板５箇所に前述した開口孔や切り欠き孔からなる透光部５３が対向して設けられている。 
【００３９】
また導光部材６と表示板５とが対向する導光部材６の背面には、光源７から発せられた光線を導光部材６に設けた反射面からなる光案内部６１を介して目視側方向へと反射導光させる光反射処理部６３が施されている。この場合、光反射処理部６３は、細かい凹凸からなる乱反射部によって形成されている。 
【００４０】
なお、導光部材６には、表示板５の形状にほぼ倣って中央に指針軸３が挿通可能な開口孔６４が形成されている。 
【００４１】
光源７は、回路基板１上の適宜箇所に実装されており、本実施形態においては、指針４の指示部材４１を発光表示するための光源７と、表示板５に設けられた文字や数字あるいは記号などによる表示部５１を透過照明する光源７と、導光部材６の光案内部６１側および凸状目盛部６２側へと照射光線を導き入れるための光源７とがそれぞれ回路基板１上に実装されている。 
【００４２】
ケース８には、表示部５１を透過照明するための光源７からの光線を表示板５の表示部５１へと反射導光するためのリフレクタ８ａが形成されるとともに、指針４を照明するために区切られた略筒状からなる仕切り部８ｂおよび表示部５１箇所とその外周側に設けられる凸状目盛部６２箇所との間を仕切る略筒形状からなる仕切り部８ｂとが形成されている。 
【００４３】
このように構成された第１の実施形態における計器装置にあっては、夜間などにおいて指針４と表示板５と導光部材６とを照明表示する場合、表示板５の背後側に配設されたＬＥＤなどによる光源７を点灯することによって、指針４の指示部材４１が発光表示されるとともに、表示板５に設けられた表示部５１が白色にて透過照明され、さらに導光部材６に形成された凸状目盛部６２が表示板５に設けられた開口孔や切り欠き孔からなる透光部５３を介して導光照明される。また、凸状目盛部６２によって表示板５と導光部材６側とが立体的に形成されると同時に、凸状目盛部６２が光源７からの照射光線によって浮き上がって見えるため、見栄えが良好でしかも斬新な視認性を有する計器装置を提供することができる。 
【００４４】
これと同時に、透光部５３箇所より外周側に位置して設けられた複数個からなる光案内部６１を介して導光部材６の中心方向、すなわち、指針４の回転中心方向に向かって光源７の光線を指向性を持たせながら導光部材６の内部にてスポット的に反射導光されるため、表示板５上において所定の間隔を配して帯状に部分的に光り輝いて見えるものであり、これにより表示板５と導光部材６とが部分的に立体的に浮かび上がって照明表示される。 
【００４５】
この際、導光部材６の背面に、光源７から発せられた光線を光案内部６１を介して目視側方向へと反射導光させる細かい凹凸からなる乱反射部によって形成された光反射処理部６３を施してなることにより、表示板５上において光源７から発せられた光線が光反射処理部６３によって目視側へとスポット的に反射導光されて光輝して見える。 
【００４６】
また凸状目盛部６２を配設する位置を、導光部材６の光案内部６１と指針４の回動中心とを結ぶ線上に合わせて形成してなることにより、凸状目盛部６２箇所に合わせて光案内部６１と指針４の回動中心とを結ぶ線上がスポット的に反射導光されて光輝して見えるため、凸状目盛部６２箇所が際立って見えるものとなり、さらに立体感を醸し出すことができる。 
【００４７】
図５から図１０は、本発明の第２の実施形態を示すものであり、図６は、本発明の第２の実施形態の計器装置を示す正面図であり、図７は、図６の計器装置の照明状態の概要を示す正面図であり、図８は同実施形態における表示板と導光部材とを示す要部の分解斜視図およびその部分拡大断面図であり、図９は、図６の要部箇所を示す断面図であり、図１０は、図９の拡大断面図である。 
【００４８】
この第２の実施形態にあっては、表示板５には、たとえば速度計やエンジン回転計などの指示計器の表示対象となる「ｋｍ/ｈ」，「×１０００ｒｐｍ」などの文字や数字あるいは記号、速度計やエンジン回転計の指針の指示対象となる数字などによる表示部５１ａと、この表示部５１ａの背景となる地色部５２ａが印刷などの手段によって形成されるとともに、指針４の回転軌道に沿った円弧状の領域に配列形状を有して配置される目盛部５５ａが、前記表示部５１ａ箇所と同様にして前記地色部５２ａ箇所を抜き印刷することによって形成されている。また透光部５３ａ箇所も目盛部５５ａと同様にして抜き印刷にて形成されている。なお、透光部５３ａの位置は、表示板５の目盛部５５ａ箇所より外周縁部側に設けられている。 
【００４９】
この第２の実施形態にあっては、表示部５１ａ，地色部５２ａ，目盛部５５ａなどは表示板５の裏面に印刷を施してなるものであり、透明な合成樹脂シート基板からなる表示板５の裏面に、数字や文字・記号などの表示部５１ａ箇所と目盛部５５ａ箇所と透光部５３ａ箇所とを除いて第１の裏面印刷層ｐ１を印刷形成する。この第１の裏面印刷層ｐ１は、表示板５上の地色部５２ａとなる、たとえば黒色で遮光性のインクを印刷することによって形成される。 
【００５０】
この地色部５２ａの上に透光部５３ａ箇所を除いて、白色の半透過性のインクからなる第２の裏面印刷層ｐ２を重ねて印刷形成している。 
【００５１】
よって、第１の裏面印刷層ｐ１を施していない箇所である表示部５１ａと目盛部５５ａとは、光源７の非点灯時には、白色にて視認され、光源７の点灯時にはその照射光線が第２の裏面印刷層ｐ２を透過して表示部５１ａと目盛部５５ａとの形態にて白色にて透過照明される。 
【００５２】
なお、表示板５には、前述した第１の実施形態と同様にして、計器本体２の回転軸３に対応した位置に貫通孔５４ａが形成され、この貫通孔５４ａを通じて回転軸３と指針４とが連結できるように設けられている。 
【００５３】
導光部材６は、透明な透光性を有する合成樹脂からなり、指針４の回転軌道に沿って中央が円形の開口部６４ａを有するほぼドーナツ形状からなるものであり、表示板５の前面側に重ね合わせて配置されている。 
【００５４】
導光部材６の外周縁部に所定の間隔を配して光源７の光線を導光部材６の中心方向（指針４の回動中心方向）へと指向性を持たせながら反射させる複数個の反射面からなる光案内部６１ａが形成されるとともに、導光部材６と表示板５とが対向する導光部材６の背面には、光源７から発せられた光線を導光部材６に設けた反射面からなる光案内部６１ａを介して目視側方向へと反射導光させる光反射処理部６３ａが施されている。この場合、光反射処理部６３ａは、同心円状の細かい鋸歯状の溝部からなる反射部（ヘアライン）によって形成されている。 
【００５５】
また、光案内部６１ａは、表示板５に施された目盛部５５ａ箇所と隣接する目盛部５５ａ箇所の外側に位置した透光部５３ａ箇所（抜き印刷箇所）と対向する導光部材６の外周縁部箇所に形成されるとともに、目盛部５５ａ箇所の外側領域以外においても同様に適宜な間隔を配して光案内部６１ａが形成されている。本実施形態にあっては、速度計やエンジン回転計などでは、指針４による下限指示位置である「目盛」位置と、「最高数値目盛」位置より下方側の表示板５の領域に位置した表示板５の外周縁部箇所に適宜な間隔を配して設けられた透光部５３ａと対向する導光部材６の外周縁部箇所に反射面からなる光案内部６１ａが形成されている。 
【００５６】
光源７は、回路基板１上の適宜箇所に実装されており、本実施形態においては、指針４の指示部材４１を発光表示するための光源７と、表示板５に設けられた数字や文字・記号などの表示部５１ａと目盛部５５ａとを透過照明する光源７と、導光部材６の光案内部６１ａ側へと照射光線を導き入れるための光源７とがそれぞれ回路基板１上に実装されている。 
【００５７】
ケース８には、表示部５１ａを透過照明するための光源７からの光線を表示板５の表示部５１ａへと反射導光するためのリフレクタ８ａが形成されるとともに、指針４を照明するために区切られた略筒状からなる仕切り部８ｂおよび表示部５１ａ箇所とその外周側に設けられる目盛部６２ａ箇所との間を仕切る略筒形状からなる仕切り部８ｂとが形成されている。 
【００５８】
このように構成された第２の実施形態における計器装置にあっては、たとえば夜間などにおいて指針４と表示板５と導光部材６とを照明表示する場合、光源７を点灯することによって、指針４の指示部材４１が発光表示されるとともに、表示板５に設けられた表示部５１ａおよび目盛部５５ａとが第２の裏面印刷層ｐ２による白色にて透過照明される。 
【００５９】
なお、透過照明色としては実施形態に記載した白色の色合いに限らず、たとえば青色や赤色など透過可能なインクによって第２の裏面印刷層をｐ２を塗り分けることにより表示部５１ａや目盛部５５ａなどの照明色を任意に設定した色合いにて透過照明することができる。 
【００６０】
これと同時に、光源７からの照射光線が、表示板５に抜き印刷によって形成されたそれぞれの透光部５３ａ箇所を介して導光部材６側へと入光し、反射面からなる光案内部６１ａを介して導光部材６の中心方向、すなわち、指針４の回転中心方向に向かって光源７の光線が指向性を持たせながら導光部材６の内部にて所定の幅を持って線状に反射導光されるため、表示板５上において所定の間隔を配して帯状あるいは線状に部分的に光り輝いて見えるものであり、これにより表示板５と導光部材６とが部分的に立体的に浮かび上がって照明表示される。 
【００６１】
この際、導光部材６の背面に、光源７から発せられた光線を光案内部６１ａを介して目視側方向へと反射導光させる同心円状の細かい鋸歯状の溝部からなる光反射処理部６３ａを施してなることにより、表示板５上において光源７から発せられた光線が光反射処理部６３ａによって目視側へとスポット的に反射導光されて光輝して見える。 
【００６２】
また表示板５上の目盛部５５ａを配設する位置を、導光部材６の光案内部６１ａと指針４の回動中心とを結ぶ線上に合わせて形成してなることにより、目盛部５５ａ箇所に合わせて光案内部６１ａと指針４の回動中心とを結ぶ線上がスポット的に反射導光されて光輝して見えるため、目盛部５５ａ箇所と表示部５１ａ箇所とが際立って見えるものであり、見映えのある斬新な視認性を有する計器装置を提供することができる。 
【００６３】
また表示板５上の目盛部５５ａの位置からかけ離れた箇所に設けられた導光部材６の光案内部６１ａを介して反射導光された光線も、指針４の回転中心方向に向かって所定の幅を持って線状に反射導光されるため、表示板５上において所定の間隔を配して帯状あるいは線状に部分的に光り輝いて見えるものであり、これにより表示板５と導光部材６とが部分的に立体的に浮かび上がって照明表示される。 
【００６４】
さらに本実施形態による導光部材６は、指針４の回転軌道に沿って中央が円形に開口する開口部６４ａを有するほぼドーナツ形状からなっているため、導光部材６の光案内部６１ａを介して反射導光された光線の一部が円形の開口部６４ａの端面から出光し、表示板５の表面上が部分的に照らし出されるものとなり、表示板５上が帯状あるいは線状に明暗照明されることにより見映えのある斬新な照明効果を得ることができる。 
【００６５】
なお、各実施形態において、指針４の指示部材４１を発光表示するための光源７と、表示板５に設けられた文字や数字あるいは記号などによる表示部５１，５１ａを透過照明する光源７と、導光部材６の光案内部６１，６１ａ側および目盛部（凸状目盛部６２，目盛部５５ａ）側へと照射光線を導き入れるための光源７との点灯タイミングを変えることにより、指針４の透過照明、数字や文字あるいは記号などの表示部５１，５１ａおよび目盛部（導光部材６に設けた凸状目盛部６２や表示板５に設けた目盛部５５ａ）などが時差を持って点灯表示することとなり、これにより一層斬新で面白みのある計器装置を提供することもできる。なお、場合によっては、導光部材６の光案内部６１側へと光線を導き入れる光源７と、目盛部（凸状目盛部６２，目盛部５５ａ）６２側へと照射光線を導き入れるための光源７とを個別に配置し、時差点灯するようにしても良いものである。 
【００６６】
本発明は、前述した実施例に限定されるものではなく本発明の要旨の範囲内において種々の変形実施が可能である。たとえば、第１および第２の実施形態においては、導光部材６を無色透明な合成樹脂材料にて成形していたが、たとえば青色の顔料を含有することによって着色成形しても良いものであり、この場合、表示板５に設けた表示部５１，５１ａや目盛部５５ａなどは着色した色合いを通して判読することができるものであり、また第１の実施形態においては、目盛部として導光部材６の表面側に突出する凸状目盛部６２を形成していたが、導光部材６の表面あるいは裏面に凹みからなる目盛部を形成しても良いものであり、場合によっては導光部材６と表示板５とにそれぞれ目盛を施すようにしても良いものであり、組み合わせによっては、さらなる奥行き感を強調することも可能である。 
【００６７】
また、導光部材６の外周縁部に所定の間隔を配して設けられ光源７の光線を導光部材６の中心方向（指針４の回動中心方向）へと指向性を持たせながら反射させる複数個の光案内部６１，６１ａの配設する位置や光案内部６１，６１ａの形状や個数などは適宜設定すれば良いものである。また、導光部材６の裏面側に形成される光源７から発せられた光線を光案内部６１，６１ａを介して目視側方向へと反射導光させる光反射処理部６３，６３ａの凹凸形状としては各実施形態に記載した形状に限定されるものでなくシボ加工や縞模様など適宜設定可能であり、その配設する位置も表示板５、導光部材６の形状に合わせてそれぞれ施すようにすれば良いものである。 
【００６８】
なお、前述した第1および第２の実施形態にあっては、表示板５の形状としてほぼ円形の形状によって形成されていたが、角形の表示板の形状や楕円形状など変形実施が可能である。この際、それぞれ異なる形状の表示板５の表面側には導光部材６を表示板５の形状に合わせて重ね合わせて配置し、この導光部材６の外周縁部に所定の箇所に間隔を配して光案内部６１を形成するとともに、導光部材６の背面に、光源７から発せられた光線を光案内部６１を介して目視側方向へと反射導光させる光反射処理部６３を施すことにより、前述した実施形態と同様な作用効果を得ることができる。この場合、各実施形態と同様にして導光部材６の中心方向（指針４の回動中心方向）へと指向性を持たせながら線状あるいは帯状に反射導光させたり、指針４の回動中心方向とは異なる方向などに指向性を持たせて線状あるいは帯状に反射導光することにより、導光部材６の背面に施されてを光反射処理部６３を介して視線方向にスポット的に反射させて光輝することができるものであり、場合によっては線状、帯状に光輝する方向がそれぞれ交差するように設定しても良いものであり、見映えの点においても斬新的な照明効果を得ることが可能である。 
【産業上の利用可能性】
【００６９】
また、前述した実施形態においては、その適用例として車両用計器やオートバイなどの計器装置を例にして説明したが、車両用の計器装置に限らず船舶用の計器装置あるいは農業用機械や建設機械などの特殊車両の計器装置などにおいても適用することが可能である。【００７０】
本出願は、２００９年６月２２日に出願された日本国特許出願２００９−１４７５８０号に基づく。本明細書中に日本国特許出願２００９−１４７５８０号の明細書、特許請求の範囲、図面全体を参照として取り込むものとする。 
【符号の説明】
【００７１】
１    回路基板 
２    計器本体 
３    回転軸 
４    指針 
５    表示板 
６    導光部材 
７    光源 
８    ケース 
８ａ    リフレクタ 
８ｂ    仕切り壁 
９    見返しパネル 
４１    指示部材 
４２    指針基部 
４３    カバー部材 
５１，５１ａ    表示部 
５２，５２ａ    地色部 
５３，５３ａ    透光部 
５４，５３ａ    貫通孔 
５５ａ    目盛部 
６１，６１ａ    光案内部（反射面） 
６２    凸状目盛部 
６３，６３ａ    光反射処理部 
６４    開口孔 
６４ａ    開口部 
Ｐ１    第１の印刷層 
Ｐ２    第２の印刷層 
ｐ１    第１の裏面印刷層 
ｐ２    第２の裏面印刷層 
【図１】
2010150583.tif 000003
【図２】
2010150583.tif 000004
【図３】
2010150583.tif 000005
【図４】
2010150583.tif 000006
【図５】
2010150583.tif 000007
【図６】
2010150583.tif 000008
【図７】
2010150583.tif 000009
【図８】
2010150583.tif 000010
【図９】
2010150583.tif 000011
【図１０】
2010150583.tif 000012
【国際調査報告】
2010150583.tif 000013
2010150583.tif 000014
2010150583.tif 000015
2010150583.tif 000016